(57)【要約】      （修正有）【課題】ポケットがない洋服にも取り付け自在な隠しポケットを提供する。【解決手段】上衣の裏側など、ポケットを付けたい所に小さめのボタンを付け、本考案品のポケットをそのボタンに掛ける。掛け方は横端に小さいゴムループがあるのでそれをボタンに掛ける。又は、耳布にボタンホールがあるのでそれをボタンで止める。ポケットの開閉口はファスナーとスナップボタンがついてあり、中身が落ちたりしない。本考案品は、内側が防水素材の袋になっていて、それが仕切りにもなっているので使用後の濡れたハンカチと、その他に濡れては困る物も入れられるように工夫されている。又、内側が防水素材の為、使用後の濡れたハンカチ入れとしても使用でき、バッグの中やポケットの中が湿っぽくならずに良い。【選択図】図５
0003148787.tif 000002
【実用新案登録請求の範囲】
【請求項１】
上衣の裏側の品質表示の所や脇のぬいしろなど、ポケットを付けたい所にボタンを１個取り付け（８）、ポケット大の大きさの袋で開閉口はファスナー（１）とスナップボタン（２）があり、横端にはボタンが通るぐらいのゴムループ（３）が付けてあるので、これを取り付けたボタンに掛けると取り付け自在な隠しポケットになる。
【請求項２】
ゴムループ（３）に代えて耳布（６）を設け、この耳布（６）にボタンホール（７）を設けた請求項１に記載の取り付け自在な隠しポケット。
【請求項３】
請求項１及び２に記載の取り付け自在な隠しポケットは、内側が防水素材の袋（４）になっていて、それが仕切にもなっているので、防水素材の所に使用後の濡れたハンカチを入れて、その他に、その防水素材と表布の間（５）に濡れては困るものも入れられる。そのため、取り付けポケットとして使うだけでなく、使用後の濡れたハンカチ入れとしても使え、バッグの中や洋服のポケットが湿っぽくならずに良い。
【考案の詳細な説明】
【技術分野】
【０００１】  ポケットがない洋服を着る時の不便を解消する、ボタン１個の取り付けで、取り外し自在な隠しポケットに関する。
【背景技術】
【０００２】  ポケット大の大きさの袋で、開閉口はファスナーとスナップボタンがあり、横端にボタンが通るくらいのゴムループがあるので、これを洋服の裏側の品質表示の所や脇のぬいしろなどに取り付けたボタンに掛けると隠しポケットになる。
【考案の開示】
【考案が解決しようとする課題】
【０００３】  薄着の夏場など、洋服の上下にポケットが付いてないことがあり、ハンカチなどが入れられなくて大変不便な思いをした。
【課題を解決するための手段】
【０００４】  上衣の品質表示などポケットを付けたい所にワイシャツのボタンくらいの大きさのボタンを１個取り付け、考案品の取り付けポケットをそのボタンに掛ける。
【考案の効果】
【０００５】  洋服にポケットがない時、隠しポケットができ、不便でなくなる。考案品の内側は、防水素材の袋になっていて、それが仕切りにもなっている為、使用後の濡れたハンカチの他に、濡れては困る物も入れられるので、お金や携帯電話なども防水素材の仕切りの外側に入れられる。考案品の開閉口はファスナーとスナップボタンがあり、中身が落ちる心配はないし、おしゃれな感じに仕上っている。そのため、使用後の濡れたハンカチ入れとして使えば、バッグの中が湿っぽくならずにすむし、洋服のポケットも濡れなくて良い。
【考案を実施するための最良の形態】
【０００６】  ボタンの取り付けは、ポケットを取り付けたい位置に、取り付けポケットが落ちないようにしっかりと付けなければいけない。シャツなどのボタンのある上衣では服の購入時に予備のボタンとしてその場所にボタンがついていることもあるが、位置が悪かったりしっかりついていないときは付け直さないといけない。
【実施例】
【０００７】  添付図面により本考案を説明すると、図１は考案品の正面から見た平面図でポケット口を閉めた状態である。（１）はファスナーで、ファスナーが見えないようにこれの少し下の所を折り曲げ、端をスナップボタン（２）でとめる。ハンカチ入れとして使う場合はスナップボタンだけとめても良い。スナップボタンだけとめても中身が落ちないものであればそれだけの方が簡単で良い。お金や携帯電話など大事な物を入れる時はファスナーとスナップボタンを閉めるので中身が落ちる心配はない。ファスナーは開ける時中身が落ちにくいように右から左に開くようにしてある。（３）はゴムループで、取り付けたボタン（８）にこのゴムループを掛ける。ボタンがやっと通るくらいの小さいゴムループなのでボタンから外れたりはしないと思う。ボタン（８）は、自分がポケットを取り付けたい位置に付ける。【０００８】このゴムループに代えて、図４に示すようにポケットに耳布（６）を設け、この耳布（６）にボタンホール（７）を設けて本考案ポケットをボタンホールで止めると携帯電話など多少重い物を入れても安定感がある取り付けになる。【０００９】図２はファスナーを開けた状態である。図３は内側を上から見た断面図で、内側が防水素材（４）になっていて、それが仕切りにもなっている。防水素材の所に使用後の濡れたハンカチを入れ、その防水素材の外側（５）に濡れては困る物も入れられるように工夫されている。図５は、取り付け例として洋服の品質表示に考案品を取り付けた状態を示したものである。考案品は外見上も良いので、ポケットが見えてもよければ、ボタンの取り付け位置はウエスト位置など洋服の表面でも良い。それだと中身の出し入れは楽になる。又、ハンカチ入れとして使うと使用後の濡れたハンカチがバッグの中を湿っぽくすることもないし、洋服のポケットが濡れることもなくなる。
【産業上の利用可能性】
【００１０】  ポケットがない洋服を着ることは、薄着の夏場など意外に多くあり、不便を感じた人は多くいると思われる。又、使用後の濡れたハンカチに不快を感じた人も数多くいると思う。これらの不便不快を解消できる本考案品は万人に望まれるだろう。考案品とボタン１〜２個セットで販売し、バッグなどに入れる使用後のハンカチ入れとしても使える為、表布には刺繍やパッチワークなど取り入れるとなお、おしゃれになるだろう。
【図面の簡単な説明】
【００１１】
【図１】  正面から見たファスナーとスナップボタンを閉じた平面図
【図２】  正面から見たファスナーとスナップボタンを開けた平面図
【図３】  内側を上から見た断面図
【図４】  ゴムループをボタンホール付きの耳布に代えた考案品
【図５】  取り付け例として、上衣の裏の品質表示の所に考案品を取り付けた図
【符号の説明】
【００１２】（１）ポケット口のファスナー
（２）スナップボタン
（３）ゴムループ
（４）防水素材の内袋
（５）防水素材と表布の裏面との間
（６）ゴムループの代わりの耳布
（７）ボタンホール
（８）取り付けるボタン
【図１】
0003148787.tif 000003
【図２】
0003148787.tif 000004
【図３】
0003148787.tif 000005
【図４】
0003148787.tif 000006
【図５】
0003148787.tif 000007
【手続補正書】
【提出日】平成20年9月12日(2008.9.12)
【手続補正１】
【補正対象書類名】実用新案登録請求の範囲
【補正対象項目名】全文
【補正方法】変更
【補正の内容】
【実用新案登録請求の範囲】
【請求項１】
上衣の裏側の品質表示の所や脇のぬいしろなど、ポケットを付けたい所にボタンを１個取り付け（８）、ポケット大の大きさの袋で開閉口はファスナー（１）とスナップボタン（２）があり、横端にはボタンが通るぐらいのゴムループ（３）が付けてあるので、これを取り付けたボタンに掛けることを特徴とした、取り付け自在な隠しポケット。
【請求項２】
ゴムループ（３）に代えて耳布（６）を設け、この耳布（６）にボタンホール（７）を設けた請求項１に記載の取り付け自在な隠しポケット。
【請求項３】
ゴムループやボタンホールによりボタンで止められることを特徴とする請求項１及び２に記載の取り付け自在な隠しポケットは、内側が防水素材を使用した袋（４）になっている二重構造であり、それが内側の仕切りにもなることを特徴とした取り付け自在な隠しポケット。
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
上衣の裏側の品質表示の所や脇のぬいしろなど、ポケットを付けたい所にボタンを１個取り付け（８）、ポケット大の大きさの袋で開閉口はファスナー（１）とスナップボタン（２）があり、横端にはボタンが通るぐらいのゴムループ（３）が付けてあるので、これを取り付けたボタンに掛けることを特徴とした、取り付け自在な隠しポケット。
【請求項２】
ゴムループ（３）に代えて耳布（６）を設け、この耳布（６）にボタンホール（７）を設けた請求項１に記載の取り付け自在な隠しポケット。
【請求項３】
ゴムループやボタンホールによりボタンで止められることを特徴とする請求項１または２に記載の取り付け自在な隠しポケットは、内側が防水素材を使用した袋（４）になっている二重構造であり、それが内側の仕切りにもなることを特徴とした取り付け自在な隠しポケット。